(57)【要約】【課題】２次関数的な曲線を有する走査線曲がりだけではなく、３次関数以上の高次成分の走査線曲がりをも調整することが可能な走査光学系、光走査装置、及び画像形成装置を提供する。【解決手段】光偏向器４と、少なくとも１枚の走査レンズと、少なくとも１枚の折返しミラーとを備える走査光学系であって、走査レンズ６は、走査線曲がりの２次関数的な成分を補正する２次成分補正手段を有し、折返しミラー１０１は、走査線曲がりの３次関数以上の高次関数的な成分を補正する高次成分補正手段を有する。【選択図】図１
2008065184.tif 000002
【特許請求の範囲】
【請求項１】
光源からの光束を偏向する光偏向器と、前記光偏向器を被走査面近傍に集光させる少なくとも１枚の走査レンズと、前記偏向器と被走査面との間に設けられた少なくとも１枚の折返しミラーとを備える走査光学系であって、
前記走査レンズは、走査線曲がりの２次関数的な成分を補正する２次成分補正手段を有し、
前記折返しミラーは、走査線曲がりの３次関数以上の高次関数的な成分を補正する高次成分補正手段を有することを特徴とする走査光学系。
【請求項２】
前記２次成分補正手段は、前記走査レンズの長手方向の略中央部分を、走査面内に対して略垂直な方向に押圧することを特徴とする請求項１に記載の走査光学系。
【請求項３】
前記高次成分補正手段は、前記折返しミラーを捻転することを特徴とする請求項１又は２に記載の走査光学系。
【請求項４】
前記高次成分補正手段は、前記折返しミラーの両端及び略中央を固定し、前記両端と前記略中央との間に位置する中間部を、前記走査面内と前記折返しミラーとが交差する直線を回転軸として捻転することを特徴とする請求項３に記載の走査光学系。
【請求項５】
前記走査レンズは、長手方向の略中央部分の下面又は上面を支点として該走査レンズを回動させて走査線傾きを調整する走査線傾き調整手段を有することを特徴とする請求項１から４のいずれか１項に記載の走査光学系。
【請求項６】
請求項１から５のいずれか１項に記載の走査光学系を有することを特徴とする光走査装置。
【請求項７】
複数の走査光学系を有することを特徴とする請求項６に記載の光走査装置。
【請求項８】
請求項６又は７に記載の光走査装置を搭載することを特徴とする画像形成装置。
【発明の詳細な説明】
【技術分野】
【０００１】
本発明は、レーザプリンタ、デジタル複写機、ファックス等に用いられる走査光学系、光走査装置、及び画像形成装置に関するものである。
【背景技術】
【０００２】
レーザプリンタやデジタル複写機等の画像形成装置において用いられる光走査装置の問題としては、「走査線曲がり」、「走査線傾き」が従来から知られている。走査線は、被走査面の実体をなす感光性媒体上において光スポットが光走査に伴って移動する軌跡であり、直線で傾きのないことが理想である。
【０００３】
しかしながら、実際には、直線となるべき走査線が曲線となる「走査線曲がり」や、走査線が傾く「走査線傾き」が発生し、その結果として印刷結果には色ずれとなって現れる。近年における、カラーレーザプリンタ、デジタルカラー複写機等の高画質化、高密度化に伴って、この色ずれを可能な限り低減することが光走査装置の課題となっている。
【０００４】
例えば特許文献１では、走査線曲がり調整について、長尺レンズである走査レンズの長手方向のほぼ中央部分を副走査方向に押圧することで走査線曲がりを調整する技術が開示されている。
【０００５】
また、例えば特許文献２では、長尺レンズの主走査方向に沿って調整手段（イモネジ）を３ヶ所設けることによって、走査線曲がりの高次成分をも調整する技術が提案されている。
【特許文献１】特許第３３４３４６５号公報
【特許文献２】特開２００２−１８２１４５号公報
【発明の開示】
【発明が解決しようとする課題】
【０００６】
特許文献１で開示された技術では、２次曲線的な走査線曲がりを調整することは可能だが、より高次成分の走査線曲がりの補正を行うことはできない。また、特許文献２で提案された技術では、Ｗ字型の高次成分の走査線曲がりは調整できるが、Ｍ字型や非対称なＮ字型の高次成分の走査線曲がりについては調整が困難であるという問題がある。
【０００７】
そこで、本発明は、上記課題に鑑みてなされたもので、２次関数的な曲線を有する走査線曲がりだけではなく、３次関数以上の高次成分の走査線曲がりをも調整することが可能な走査光学系、光走査装置、及び画像形成装置を提供することを目的とする。
【課題を解決するための手段】
【０００８】
かかる目的を達成するために、請求項１記載の発明は、光源からの光束を偏向する光偏向器と、前記光偏向器を被走査面近傍に集光させる少なくとも１枚の走査レンズと、前記偏向器と被走査面との間に設けられた少なくとも１枚の折返しミラーとを備える走査光学系であって、前記走査レンズは、走査線曲がりの２次関数的な成分を補正する２次成分補正手段を有し、前記折返しミラーは、走査線曲がりの３次関数以上の高次関数的な成分を補正する高次成分補正手段を有することを特徴とする。
【０００９】
また、請求項２記載の発明は、請求項１に記載の走査光学系において、前記２次成分補正手段は、前記走査レンズの長手方向の略中央部分を、走査面内に対して略垂直な方向に押圧することを特徴とする。
【００１０】
また、請求項３記載の発明は、請求項１又は２に記載の走査光学系において、前記高次成分補正手段は、前記折返しミラーを捻転することを特徴とする。
【００１１】
また、請求項４記載の発明は、請求項３に記載の走査光学系において、前記高次成分補正手段は、前記折返しミラーの両端及び略中央を固定し、前記両端と前記略中央との間に位置する中間部を、前記走査面内と前記折返しミラーとが交差する直線を回転軸として捻転することを特徴とする。
【００１２】
また、請求項５記載の発明は、請求項１から４のいずれか１項に記載の走査光学系において、前記走査レンズは、長手方向の略中央部分の下面又は上面を支点として該走査レンズを回動させて走査線傾きを調整する走査線傾き調整手段を有することを特徴とする。
【００１３】
また、請求項６記載の発明は、光走査装置において、請求項１から５のいずれか１項に記載の走査光学系を有することを特徴とする。
【００１４】
また、請求項７記載の発明は、請求項６に記載の光走査装置において、複数の走査光学系を有することを特徴とする。
【００１５】
また、請求項８記載の発明は、画像形成装置において、請求項６又は７に記載の光走査装置を搭載することを特徴とする。
【発明の効果】
【００１６】
本発明によれば、２次関数的な曲線を有する走査線曲がりだけではなく、３次関数以上の高次成分の走査線曲がりをも調整することが可能な走査光学系、光走査装置、及び画像形成装置が実現される。
【発明を実施するための最良の形態】
【００１７】
図面を参照しながら、本発明実施のための最良の形態について説明する。第１の実施形態として走査光学系、第２の実施形態として光走査装置、第３の実施形態として画像形成装置について説明する。
【００１８】
［実施形態１］
図１は、本発明の実施形態である走査光学系の概略構成図で、（ａ）は平面図、（ｂ）は側面図を表している。
【００１９】
本実施形態の走査光学系において、光源１を射出した光束は、カップリングレンズ２により略平行光束にカップリングされ、シリンドリカルレンズ３に入射して主走査対応方向に長く略線状に集光され、光偏向器４へ入射する。
【００２０】
そして、光偏向器４で偏向された光束は、走査レンズ５を透過して折返しミラー１００により光路を曲げられ、走査レンズ６を透過し、折返しミラー１０１及び１０２によりさらに光路を曲げられて被走査面７に結像する。
【００２１】
なお、図１（ａ）の平面図と図１（ｂ）の側面図とで、各部材の配置が逆転しているように記載されているが（折返しミラー１００と走査レンズ６、走査レンズ６と折返しミラー１０１及び１０２等）、これは図１（ａ）では光束が入射あるいは透過する順番に各部材が配置されているように表現されており、図１（ｂ）では実際の配置が表されていることによる。
【００２２】
ここで、従来の走査線曲がりの調整について説明する。図２は、走査線曲がりの調整に関する従来技術を説明するための図である。図３及び４は、走査線曲がりの状態を表した図で、図３では４次関数の高次成分（Ｍ字型やＷ字型）の走査線曲がりが表され、図４では３次関数の高次成分（Ｓ字型）の走査線曲がりが示されている。
【００２３】
例えば図１のような構成からなる走査光学系の場合、長尺レンズである走査レンズ６の長手方向のほぼ中央部分を副走査方向に押圧することにより、走査線曲がりを調整している。
【００２４】
しかしながら、上記の方法では、図３（ａ）のような走査線曲がりは、その２次曲線的な成分は調整できるが、図３（ｂ）に示すような４次関数の高次成分が残存してしまう。また、図４（ａ）のような３次関数的な走査線曲がりの場合には調整することができない。
【００２５】
そこで、本実施形態では、折返しミラーに対して力を加えて変形させることにより、高次成分を調整するものとしている。図５は、本実施形態の走査光学系における折返しミラーの構成を示した図である。
【００２６】
例えば、図３（ａ）のような走査線曲がりが発生した場合、先に述べたように、全体の２次曲線的な成分については、図２に示した、走査レンズ６の略中央を副走査方向に押圧して撓ませる方法により、図３（ｂ）のように調整できる。しかし、４次関数的な高次成分については、図２の方法だけでは調整しきれないため、図５に示すように、折返しミラーの両端及び中央部（光軸近辺）をハウジングに対して固定し、該両端と該中央部の間の部分を捻転することで、高次成分の走査線曲がりを調整する。
【００２７】
すなわち、折返しミラー１０１において、まずその両端１１０及び１２０とその中央部１３０の３点をハウジングに対して固定する。次に、固定された３点以外の可動部分である、両端１１０と中央部１３０の間の中間部１４０、及び両端１２０と中央部１３０の間の中間部１５０をよじる。よじる方向は、偏向走査面と折返しミラー１０１の交わる直線を回転軸１６０として、該回転軸に垂直に交わる直線ａ−ａ’または直線ｂ−ｂ’を回転させる方向である。
【００２８】
ここでは、折返しミラー１０１を例にとって説明したが、任意の折返しミラーを用いて実施することが可能であり、実際にはハウジングのレイアウトや組立工程を勘案して決めることができる。
【００２９】
図６は、本実施形態の走査光学系における走査線曲がりの調整のシミュレーション結果を示したグラフである。同グラフには、走査線曲がりの補正を行う前の調整前Ａ、走査レンズ６の略中央部分の１点調整Ｂ、折返しミラーの捻転して行うよじれ調整Ｃの３段階の調整結果が表されている。
【００３０】
調整前Ａは、故意に走査レンズ５に対して外形形状の曲がりを発生させた結果である。また、１点調整Ｂは、走査レンズ６の略中央部分を副走査方向に撓ませ、２次曲線的な走査線曲がりを調整した結果を示している。また、よじれ調整Ｃは、折返しミラー１０１の中間部１４０（直線ａ−ａ’）及び中間部１５０（直線ｂ−ｂ’）を同じ方向によじらせることで、４次関数的な走査線曲がりを調整した結果を示している。
【００３１】
図６のシミュレーションは、４次関数的な高次成分に対して調整する場合を表しているが、図４（ａ）のような３次関数的な高次成分に対しては、中間部１４０及び１５０を互いに異なる方向によじることで、図４（ｂ）に示すように、３次曲線的な走査線曲がりを調整することが可能である。
【００３２】
図７は、本実施形態の走査光学系における走査レンズ付近の構成を示した断面図で、（ａ）は光軸方向から見た図、（ｂ）は走査レンズの長手方向の略中央部分の断面図、（ｃ）は走査レンズの一端の断面図を表している。
【００３３】
走査レンズ６は、板金２１と板ばね２２及び２３とで挟持されている。また、ハウジング５１は、走査レンズ６のほぼ中央部に突起部２６を有しており、突起部２６は、走査レンズ６に接している。
【００３４】
板金２１は、板ばね２４及び２５を介してハウジング５１に固定されている。また、板金２１の一端には、ステッピングモータ３２が取り付けられており、板金２１の一端を副走査方向に上下させて突起部２６を支点に走査レンズ６の傾き調整を行う機構となっている。
【００３５】
このようにして、本実施形態の走査光学系では、走査線曲がりのみならず走査線傾きについても調整することが可能な構成となっている。
【００３６】
［実施形態２］
次に、第２の実施形態として、実施形態１の走査光学系を有する光走査装置について説明する。以下、図８及び９を参照して詳細に説明する。図８は本実施形態の光走査装置の側面図を示し、図９は、本実施形態の光走査装置１３の上面図を表している。
【００３７】
本実施形態の光走査装置２００は、中央部にポリゴンミラー２０１を配置し、ポリゴンミラー２０１を中心に左右対称にＬＤユニットや反射ミラー、レンズ等の構成部品を配置することで、左右に各２色のレーザビームの光路をレイアウトし、１つのポリゴンミラーにてイエロ（Ｙ）、マゼンタ（Ｍ）、シアン（Ｃ）、ブラック（Ｋ）の４色のレーザビーム（書込みレーザ光）を主走査方向に偏向させる。
【００３８】
光走査装置２００は、ポリゴンミラー２０１と、走査レンズ２０２ａ及び２０２ｂと、走査レンズ２０３（ＹＭＣＫ）と、第１反射ミラー２０４（ＹＭＣＫ）と、第２反射ミラー２０５（ＹＭＣＫ）と、第３反射ミラー２０６（ＹＭＣＫ）と、ＬＤユニット２０７（ＹＭＣＫ）と、シリンドリカルレンズ２０８ａ及び２０８ｂと、第４反射ミラー２０９と、同期検知反射ミラー２１０ａ及び２１０ｂと、同期検知レンズ２１１ａ及び２１１ｂと、同期検知センサ２１２ａ及び２１２ｂと、を有して構成される。
【００３９】
偏向走査手段としてのポリゴンミラー２０１は、正多角形（図では正六角形）の反射鏡であり、駆動モータにより回転駆動し、ＬＤユニット２０７から出力される書込み用のレーザ光を偏向反射面で反射し、主走査方向に偏向走査する。
【００４０】
なお、正多角形のミラーは２段重ねとなっており、上段のミラーにおいてＣレーザとＹレーザを、下段のミラーにおいてＫレーザとＭレーザを、偏向走査する。
【００４１】
また、本実施形態のポリゴンミラー２０１は、制御によって回転方向を変更することが可能となっている。図９中、時計回りの回転方向を正回転方向、反時計回りの回転方向を逆回転方向とする。
【００４２】
走査レンズ２０２ａ及び２０２ｂは、各レーザ光の光路上に設けられたレンズであり、ポリゴンミラー２０１で等角度走査されたレーザ光を結像面上で等速走査させる。
【００４３】
走査レンズ２０３は、各レーザ光の光路上に設けられたレンズであり、ポリゴンミラー２０１の面倒れ特性を補正する。
【００４４】
第１反射ミラー２０４、第２反射ミラー２０５、及び第３反射ミラー２０６は、各色レーザ光を対応する感光体ドラム２２０上に導くために設けられた反射鏡である。
【００４５】
なお、図８中、ポリゴンミラー２０１のあるフロアは、塵や埃等の侵入を防ぐために密閉されて成型されている。フロアの床面にはレーザ光を透過する防塵ガラスが設けられており、各色レーザ光は該防塵ガラスを透過して感光体ドラム２２０に導かれる。
【００４６】
ＬＤユニット２０７は、各色毎に独立して設けられた書込み用レーザ光照射装置であり、レーザダイオード等を有して構成され、ポリゴンミラー２０１に向けてレーザ光を出力する。
【００４７】
シリンドリカルレンズ２０８ａ及び２０８ｂは、副走査方向に定まった屈折率を有するレンズであり、ＬＤユニット３７の近傍に、各色毎に設けられている。また、第４反射ミラー２０９は、Ｋレーザ及びＭレーザをポリゴンミラー２０１に導くために設けられた反射鏡である。
【００４８】
同期検知反射ミラー２１０ａ及び２１０ｂは、第１反射ミラー２０４で主走査の特定位置で反射したレーザ光を同期検知レンズ２１１ａ及び２１１ｂに導くために設けられた反射鏡である。また、同期検知レンズ２１１ａ及び２１１ｂは、同期検知反射ミラー２１０ａ及び２１０ｂにより導かれた入射したレーザ光を、同期検知センサ２１２ａ及び２１２ｂに集光させるためのレンズである。
【００４９】
同期信号検出手段としての同期検知センサ２１２ａ及び２１２ｂは、ポリゴンミラー２０１が正回転方向に回転しているときに、入射したレーザ光に基づいて、主走査方向の書出し基準位置を検出する。具体的には、レーザ光の入射により、所定の同期検知信号を出力する。この同期検知センサ２１２ａ及び２１２ｂは左右に各１つずつ配置され、１つの同期検知センサにより２色分のレーザ光のタイミングを検出する。
【００５０】
ポリゴンミラー２０１の偏向反射面は、製造工程の面精度及び角精度によりバラツキがあるので、このバラツキを解消するために偏向反射面に対応した主走査方向の書出し基準位置を同期検知センサ２１２ａ及び２１２ｂにより検出する。
【００５１】
［実施形態３］
続いて、第３の実施形態として、実施形態２の光走査装置を搭載した画像形成装置について説明する。以下、図１０を参照して詳細に説明する。図１０は本実施形態の画像形成装置の概略構成図を示したものである。
【００５２】
本実施形態の画像形成装置３００は、イエロ（Ｙ）、マゼンタ（Ｍ）、シアン（Ｃ）、ブラック（Ｋ）の各色毎のトナー像をそれぞれ形成し、これを重ね合わせることでフルカラーの画像を形成するタンデム型の画像形成装置であり、原稿台３０１と、読取装置３０２と、光走査装置３０３と、感光体ドラム３０４（ＹＭＣＫ）と、帯電ローラ３０５（ＹＭＣＫ）と、現像装置３０６（ＹＭＣＫ）と、ドラムクリーニング装置３０７（ＹＭＣＫ）と、中間転写ベルト３０８と、転写ベルトクリーニング装置３０９と、転写ローラ３１０と、定着装置３１１と、レジストローラ３１２と、給紙ローラ３１３と、給紙トレイ３１４と、排紙ローラ３１５と、排紙トレイ３１６と、を有して構成される。
【００５３】
原稿台３０１は、印刷を予定する原稿、すなわち読取りの対象となる原稿を載せるための台である。原稿台３０１の下面はコンタクトガラスから形成される。
【００５４】
読取装置３０２は、原稿台３０１に載せられた原稿を読み取る装置であり、原稿に対してコンタクトレンズ越しにレーザ光を照射し、該原稿からの反射光を受光することで原稿内容を読み取る。
【００５５】
光走査装置３０３は、読取装置３０２で読み取った原稿内容に基づいて、書込み用のレーザ光を各色に対応する感光体ドラム３０４に照射する。なお、光走査装置の構成は先に述べたとおりである。
【００５６】
感光体ドラム３０４は、ＹＭＣＫ各色毎に設けられたドラム形状の像担持体である。各感光体ドラムは、同一径であり、中間転写ベルト３０８に等間隔で圧接されている。
【００５７】
なお、この感光体ドラム３０４の周囲近傍には、ドラム回転方向に沿って、帯電装置３０５、現像装置３０６、中間転写ベルト３０８、ドラムクリーニング装置３０７、及び除電装置（不図示）が配設されている。また、光走査装置３０３からの書込み用のレーザ光は、帯電装置３０５と現像装置３０６との間において感光体ドラム３０４上に照射される。
【００５８】
帯電装置３０５は、各色の感光体ドラム毎に非接触に配設されたローラ形状の装置であり、感光体ドラム３０４の表面を一様に帯電させる。帯電装置３０５により帯電された感光体ドラム３０４表面に光走査装置３０３からの書込み用のレーザ光が照射されると、感光体ドラム３０４上に各色に対応した静電潜像が形成される。
【００５９】
現像装置３０６は、感光体ドラム３０４に現像ローラを接触させて配設された装置であり、各色対応の感光体ドラムに対応した色のトナー（現像剤）を保持する。作像時には、感光体ドラム３０４にトナーを供給し、感光体ドラムに形成された静電潜像を現像する。静電潜像は、トナーで現像されることによりトナー像となる。
【００６０】
ドラムクリーニング装置３０７は、感光体ドラム３０４にブレード（クリーニングブレード）を接触させて配設された装置であり、中間転写ベルト３０８へのトナー像の転写後に感光体ドラム上に残留している残留トナー等を除去、回収し、感光体ドラムの表面をクリーニングする。
【００６１】
また、ドラムクリーニング装置３０７と帯電装置３０５の間には、不図示の除電装置が設けられている。除電装置は、感光体ドラム３０４の表面を除電する。
【００６２】
中間転写ベルト３０８は、感光体ドラム３０４の表面に形成された各色トナー像を順次重ね合わせて転写（一次転写）するための無端ベルトである。各色トナー像が順次重ね合わせられることで中間転写ベルト３０８上には合成カラートナー像が形成される。
【００６３】
転写ベルトクリーニング装置３０９は、中間転写ベルト３０８にブレード（クリーニングブレード）を接触させて配設された装置であり、給紙される記録紙への合成カラートナー像の転写（二次転写）後に中間転写ベルト３０８上に残留している残留トナーや紙片などを除去、回収し、中間転写ベルト３０８の表面をクリーニングする。
【００６４】
転写ローラ３１０は、中間転写ベルト３０８に対向して設けられたローラであり、中間転写ベルト３０８上に形成された合成カラートナー像を、給紙トレイ３１４から搬送される記録紙上に転写（二次転写）する。
【００６５】
定着装置３１１は、加熱されたローラからなり、記録紙上に二次転写された合成カラートナー像を記録紙に熱定着させる。
【００６６】
レジストローラ３１２は、記録紙と合成カラートナー像の先端位置合わせを行うローラであり、中間転写ベルト３０８上の合成カラートナー像のタイミングに合わせて記録紙を給紙する。
【００６７】
給紙ローラ３１３は、記録紙を給紙する。給紙トレイ３１４は、記録紙を記録紙サイズ毎に格納する。排紙ローラ３１５は、合成カラートナー像の熱定着された記録紙を画像形成装置３００の機外の排紙トレイに排紙する。排紙トレイ３１６は、排紙された記録紙を載せるためのトレイである。なお、給紙トレイ３１４から始まる矢印は、記録紙の搬送路を示す。
【００６８】
なお、感光体ドラム３０４は、すべて同一の方向に回転し、中間転写ベルト３０８は、感光体ドラムの回転方向とは逆の方向で移動する。また、転写ローラ３１１は、中間転写ベルト３０８とは逆の方向（感光体ドラムと同一の回転方向）で回転する。図１０では、感光体ドラム３０４及び転写ローラ３１１は反時計回りに回転し、中間転写ベルト３０８は時計回りに回転する。
【００６９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７０】
上記の実施形態によれば、２次曲線的な走査線曲がりだけではなく、３次関数以上の高次成分的な走査線曲がりについても調整することができるので、画像の歪みの小さい走査光学系を提供することが可能となる。また、走査レンズの受け部の精度を緩くすることができるので、歩留まり向上によるコストダウンと省資源を図ることが可能となる。
【００７１】
また、上記の実施形態によれば、走査線曲がりを低減することで、画像の歪みの小さい光走査装置を提供することが可能となる。
【００７２】
また、上記の実施形態によれば、複数の走査光学系からなるタンデム光学系において各走査光学系の走査線曲がりを低減することができるので、色ずれの小さい光走査装置を提供することが可能となる。
【００７３】
また、上記の実施形態によれば、走査線曲がりを低減できる光走査装置を用いることで、高品位な画像出力が可能な画像形成装置が実現され、カラーレーザプリンタ等に搭載することで、色ずれのない画像形成装置を提供することが可能となる。
【図面の簡単な説明】
【００７４】
【図１】本発明の実施形態に係る走査光学系の概略構成を示した図である。
【図２】走査線曲がりの調整に関する従来技術を説明するための図である。
【図３】本発明の実施形態における、走査線曲がりの発生状態及び調整結果を表した図である。
【図４】本発明の実施形態における、走査線曲がりの発生状態及び調整結果を表した図である。
【図５】本発明の実施形態における折返しミラーの構成を示した図である。
【図６】本発明の実施形態における走査線曲がりの調整のシミュレーション結果を表した図である。
【図７】本発明の実施形態における走査レンズ付近の構成を示した図である。
【図８】本発明の実施形態に係る光走査装置の概略構成を示した図である。
【図９】本発明の実施形態に係る光走査装置の概略構成を示した図である。
【図１０】本発明の実施形態に係る画像形成装置の概略構成を示した図である。
【符号の説明】
【００７５】
１    光源
２    カップリングレンズ
３    シリンドリカルレンズ
４    光偏向器
５，６    走査レンズ
７    被走査面
２１    板金
２２，２３，２４，２５    板ばね
２６    突起部
３２    ステッピングモータ
５１    ハウジング
１００，１０１，１０２    折返しミラー
１１０，１２０    両端
１３０    中央部
１４０，１５０    中間部
１６０    回転軸
【図１】
2008065184.tif 000003
【図２】
2008065184.tif 000004
【図３】
2008065184.tif 000005
【図４】
2008065184.tif 000006
【図５】
2008065184.tif 000007
【図６】
2008065184.tif 000008
【図７】
2008065184.tif 000009
【図８】
2008065184.tif 000010
【図９】
2008065184.tif 000011
【図１０】
2008065184.tif 000012